(57)【特許請求の範囲】
【請求項１】
旅行者が所有するパスポート内の顔写真データを取得するパスポートデータ取得手段と、
旅行者が撮影した写真データを取得する写真データ取得手段と、
前記パスポートデータ取得手段にて取得した前記顔写真データに基づいて、前記写真データ取得手段にて取得した前記写真データを各旅行者に振り分ける写真データ振り分け手段と、
前記写真データ振り分け手段にて振り分けた前記写真データを各旅行者に対して出力する写真出力手段と、
を備え、
前記パスポートデータ取得手段は、前記顔写真データと共に、当該顔写真データを含むパスポートを所有する旅行者を特定する旅行者情報を取得し、
前記写真データ取得手段は、前記写真データと共に、当該写真データを撮影した旅行者を特定する旅行者情報を取得し、
前記写真データ振り分け手段は、前記写真データ取得手段にて取得した所定の旅行者の旅行者情報に対応付けられた前記写真データに、この旅行者の写真として、当該旅行者の旅行者情報に対応する前記顔写真データに基づいて振り分けた他の前記写真データを加えるよう振り分ける、
ことを特徴とする写真出力システム。
【請求項２】
前記写真データ振り分け手段は、前記写真データ取得手段にて取得した前記写真データ内に、前記パスポートデータ取得手段にて取得した前記顔写真データ内の顔部分の少なくとも一部の特徴を表す顔特徴情報と一致する部分が存在するか否かに応じて、前記写真データを振り分ける、
ことを特徴とする請求項１記載の写真出力システム。
【請求項３】
前記写真データ振り分け手段は、同一の前記顔特徴情報を含む前記写真データを、同一の旅行者の写真として振り分ける、
ことを特徴とする請求項２記載の写真出力システム。
【請求項４】
旅行者の旅行内容を表す旅行情報を取得する旅行情報取得手段を備え、
前記写真データ振り分け手段は、前記旅行情報に基づいて前記写真データを振り分ける、
ことを特徴とする請求項１乃至３のいずれかに記載の写真出力システム。
【請求項５】
前記旅行情報は、旅行行程を表す旅行行程情報を含み、
前記写真データ取得手段は、前記写真データと共に、当該写真データが撮影された場所及び日時を表す撮影付加情報を取得し、
前記写真振り分け手段は、前記旅行行程情報と前記撮影付加情報とに基づいて前記写真データを振り分ける、
ことを特徴とする請求項４に記載の写真出力システム。
【請求項６】
旅行者の旅行内容を表す旅行情報を取得する旅行情報取得手段を備えると共に、
前記写真出力手段は、所定場所に設置された写真出力装置と、当該写真出力装置に対する前記写真データの出力を制御する写真出力制御手段と、を備え、
前記写真出力制御手段は、前記旅行情報に基づいて選択した前記写真出力装置から前記写真データを出力する、
ことを特徴とする請求項１乃至５のいずれかに記載の写真出力システム。
【請求項７】
前記旅行情報は、旅行者が飛行機にて到着する空港を表す到着空港情報を含み、
前記写真出力装置を、空港に設け、
前記写真出力制御手段は、前記到着空港情報に基づいて旅行者が到着する空港に設置された前記写真出力装置から前記写真データを出力する、
ことを特徴とする請求項６に記載の写真出力システム。
【請求項８】
前記旅行情報は、旅行者が搭乗する飛行機内にて着座するシートを特定するシート特定情報を含み、
飛行機のシートに前記写真出力装置を設け、
前記写真出力制御手段は、前記シート特定情報に基づいて旅行者が着座する飛行機のシートに設置された前記写真出力装置から前記写真データを出力する、
ことを特徴とする請求項６又は７に記載の写真出力システム。
【請求項９】
旅行者が所有するパスポート内の顔写真データを取得するパスポートデータ取得処理手段と、
旅行者が撮影した写真データを取得する写真データ取得処理手段と、
前記パスポートデータ取得処理手段にて取得した前記顔写真データに基づいて、前記写真データ取得処理手段にて取得した前記写真データを各旅行者に振り分ける写真データ振り分け手段と、
前記写真データ振り分け手段にて振り分けた前記写真データを、所定の写真出力装置から各旅行者に対して出力するよう制御する写真出力処理手段と、
を備え、
前記パスポートデータ取得処理手段は、前記顔写真データと共に、当該顔写真データを含むパスポートを所有する旅行者を特定する旅行者情報を取得し、
前記写真データ取得処理手段は、前記写真データと共に、当該写真データを撮影した旅行者を特定する旅行者情報を取得し、
前記写真データ振り分け手段は、前記写真データ取得処理手段にて取得した所定の旅行者の旅行者情報に対応付けられた前記写真データに、この旅行者の写真として、当該旅行者の旅行者情報に対応する前記顔写真データに基づいて振り分けた他の前記写真データを加えるよう振り分ける、
ことを特徴とする写真出力処理装置。
【請求項１０】
前記写真データ振り分け手段は、前記写真データ取得処理手段にて取得した前記写真データ内に、前記パスポートデータ取得処理手段にて取得した前記顔写真データ内の顔部分の少なくとも一部の特徴を表す顔特徴情報と一致する部分が存在するか否かに応じて、前記写真データを振り分ける、
ことを特徴とする請求項９に記載の写真出力処理装置。
【請求項１１】
コンピュータに、
旅行者が所有するパスポート内の顔写真データを取得するパスポートデータ取得処理手段と、
旅行者が撮影した写真データを取得する写真データ取得処理手段と、
前記パスポートデータ取得処理手段にて取得した前記顔写真データに基づいて、前記写真データ取得処理手段にて取得した前記写真データを各旅行者に振り分ける写真データ振り分け手段と、
前記写真データ振り分け手段にて振り分けた前記写真データを、所定の写真出力装置から各旅行者に対して出力するよう制御する写真出力処理手段と、
を実現させると共に、
前記パスポートデータ取得処理手段は、前記顔写真データと共に、当該顔写真データを含むパスポートを所有する旅行者を特定する旅行者情報を取得し、
前記写真データ取得処理手段は、前記写真データと共に、当該写真データを撮影した旅行者を特定する旅行者情報を取得し、
前記写真データ振り分け手段は、前記写真データ取得処理手段にて取得した所定の旅行者の旅行者情報に対応付けられた前記写真データに、この旅行者の写真として、当該旅行者の旅行者情報に対応する前記顔写真データに基づいて振り分けた他の前記写真データを加えるよう振り分ける、
ことを実現させるためのプログラム。
【請求項１２】
前記写真データ振り分け手段は、前記写真データ取得処理手段にて取得した前記写真データ内に、前記パスポートデータ取得処理手段にて取得した前記顔写真データ内の顔部分の少なくとも一部の特徴を表す顔特徴情報と一致する部分が存在するか否かに応じて、前記写真データを振り分ける、
ことを特徴とする請求項１１に記載のプログラム。
【請求項１３】
コンピュータが、旅行者が所有するパスポート内の顔写真データを取得するパスポートデータ取得工程と、
コンピュータが、前記パスポートデータ取得行程に前後して、旅行者が撮影した写真データを取得する写真データ取得工程と、を有し、
コンピュータが、前記パスポートデータ取得工程にて取得した前記顔写真データに基づいて、前記写真データ取得工程にて取得した前記写真データを各旅行者に振り分ける写真データ振り分け工程と、
コンピュータが、前記写真データ振り分け工程にて振り分けた前記写真データを、所定の写真出力装置から各旅行者に対して出力する写真出力工程と、を有し、
前記パスポートデータ取得工程は、コンピュータが、前記顔写真データと共に、当該顔写真データを含むパスポートを所有する旅行者を特定する旅行者情報を取得し、
前記写真データ取得工程は、コンピュータが、前記写真データと共に、当該写真データを撮影した旅行者を特定する旅行者情報を取得し、
前記写真データ振り分け工程は、コンピュータが、前記写真データ取得工程にて取得した所定の旅行者の旅行者情報に対応付けられた前記写真データに、この旅行者の写真として、当該旅行者の旅行者情報に対応する前記顔写真データに基づいて振り分けた他の前記写真データを加えるよう振り分ける、
ことを特徴とする写真出力方法。
【請求項１４】
前記写真データ振り分け工程は、コンピュータが、前記写真データ取得工程にて取得した前記写真データ内に、前記パスポートデータ取得工程にて取得した前記顔写真データ内の顔部分の少なくとも一部の特徴を表す顔特徴情報と一致する部分が存在するか否かに応じて、前記写真データを振り分ける、
ことを特徴とする請求項１３に記載の写真出力方法。
【請求項１５】
前記写真データ振り分け工程は、コンピュータが、同一の前記顔特徴情報を含む前記写真データを、同一の旅行者の写真として振り分ける、
ことを特徴とする請求項１４に記載の写真出力方法。
【請求項１６】
少なくとも前記写真データ振り分け工程の前に、コンピュータが、旅行者の旅行内容を表す旅行情報を取得する旅行情報取得工程を有し、
前記写真データ振り分け工程は、コンピュータが、前記旅行情報に基づいて前記写真データを振り分ける、
ことを特徴とする請求項１３乃至１５のいずれかに記載の写真出力方法。
【請求項１７】
前記写真データ取得工程は、コンピュータが、前記写真データと共に、当該写真データが撮影された場所及び日時を表す撮影付加情報を取得し、
前記写真振り分け工程は、コンピュータが、前記旅行情報に含まれた旅行行程を表す旅行行程情報と前記撮影付加情報とに基づいて前記写真データを振り分ける、
ことを特徴とする請求項１６に記載の写真出力方法。
【請求項１８】
コンピュータが、旅行者の旅行内容を表す旅行情報を取得する旅行情報取得工程を有すると共に、
前記写真出力工程は、コンピュータが、前記旅行情報に基づいて所定場所に設置された写真出力装置を選択し、当該写真出力装置から前記写真データを出力する、
ことを特徴とする請求項１３乃至１７のいずれかに記載の写真出力方法。
【請求項１９】
前記写真出力工程は、コンピュータが、前記旅行情報に含まれる旅行者が到着する空港を表す到着空港情報に基づいて、旅行者が到着する空港に設置された前記写真出力装置から前記写真データを出力する、
ことを特徴とする請求項１８に記載の写真出力方法。
【請求項２０】
前記写真出力工程は、コンピュータが、前記旅行情報に含まれた旅行者が搭乗する飛行機にて着座するシートを特定するシート特定情報に基づいて、旅行者が着座する飛行機のシートに設置された前記写真出力装置から前記写真データを出力する、
ことを特徴とする請求項１８又は１９に記載の写真出力方法。
【発明の詳細な説明】
【技術分野】
【０００１】
本発明は、写真出力システムにかかり、特に、旅行者が撮影した写真を振り分けて出力するシステムに関する。
【背景技術】
【０００２】
航空機の発達に伴い、海外を旅行する人口が増加している。そして、海外へ旅行する旅行者は、記念に写真を撮影することが多く、写真データやフィルムを帰国後に写真店に持ち込んで現像することで、写真を得ることができる。
【０００３】
また、近年では、ディジタルカメラの発達に伴い、写真をディジタルデータにて記憶することが一般的となっている。この場合には、ディジタルデータを写真店に持ち込んでプリントする他、ユーザが所有しているコンピュータを介してプリンタからプリントすることも可能である。さらには、ユーザの所有しているコンピュータからネットワークを介して写真店等のプリントサービス提供者に送信することで、当該プリントサービス提供者からプリント写真を得ることもできる。
【０００４】
ところが、上述した方法では、海外などの旅行先で写真のプリントをいち早く取得したい場合であっても、旅行中に取得することが困難である。特に、居所が異なる数人のグループで旅行した場合には、帰国後は別々となるため、旅行中に撮影した写真を現像したものを見せ合うといった、写真を共有することが困難であった。
【０００５】
一方で、特許文献１では、飛行機で移動するユーザに対して、搭乗券情報に基づいて、到着地でプリントした写真を提供する、という技術を開示している。これによれば、例えば、グループで旅行した場合には、それぞれが帰宅する前に飛行機の到着地で写真を共有することができる。
【０００６】
【特許文献１】特開２０００−３１０８１９号公報
【発明の開示】
【発明が解決しようとする課題】
【０００７】
しかしながら、上記特許文献１に開示の技術では、写真データを登録したユーザに対して、そのプリント写真を渡すだけであって、他の人が撮影した写真を共有することができない。例えば、到着地で受け取った写真から、各人が映し出されている写真を探して振り分ける作業には時間がかかる。また、複数人が写っている写真を到着地で焼き増ししようとしても短時間では困難であり、依然として上記同様の問題が生じうる。
【０００８】
このため、本発明の目的は、上述した課題である、旅行者毎に写真を振り分けて共有することが可能であり、旅行者の利便性の向上を図る、ことにある。
【課題を解決するための手段】
【０００９】
そこで、本発明の一形態である写真出力システムは、
旅行者が所有するパスポート内の顔写真データを取得するパスポートデータ取得手段と、
旅行者が撮影した写真データを取得する写真データ取得手段と、
パスポートデータ取得手段にて取得した顔写真データに基づいて、写真データ取得手段にて取得した写真データを各旅行者に振り分ける写真データ振り分け手段と、
写真データ振り分け手段にて振り分けた写真データを各旅行者に対して出力する写真出力手段と、
を備えた、という構成を採る。
【００１０】
また、本発明の他の形態である写真出力処理装置は、
旅行者が所有するパスポート内の顔写真データを取得するパスポートデータ取得処理手段と、
旅行者が撮影した写真データを取得する写真データ取得処理手段と、
パスポートデータ取得処理手段にて取得した顔写真データに基づいて、写真データ取得処理手段にて取得した写真データを各旅行者に振り分ける写真データ振り分け手段と、
写真データ振り分け手段にて振り分けた写真データを、所定の写真出力装置から各旅行者に対して出力するよう制御する写真出力処理手段と、
を備えた、という構成を採る。
【００１１】
また、本発明の他の形態であるプログラムは、
コンピュータに、
旅行者が所有するパスポート内の顔写真データを取得するパスポートデータ取得処理手段と、
旅行者が撮影した写真データを取得する写真データ取得処理手段と、
パスポートデータ取得処理手段にて取得した顔写真データに基づいて、写真データ取得処理手段にて取得した写真データを各旅行者に振り分ける写真データ振り分け手段と、
写真データ振り分け手段にて振り分けた写真データを、所定の写真出力装置から各旅行者に対して出力するよう制御する写真出力処理手段と、
を実現させる、という構成を採る。
【００１２】
さらに、本発明の他の形態である写真出力方法は、
旅行者が所有するパスポート内の顔写真データを取得するパスポートデータ取得工程と、
パスポートデータ取得行程に前後して、旅行者が撮影した写真データを取得する写真データ取得工程と、を有し、
パスポートデータ取得工程にて取得した顔写真データに基づいて、写真データ取得工程にて取得した写真データを各旅行者に振り分ける写真データ振り分け工程と、
写真データ振り分け手段にて振り分けた写真データを各旅行者に対して出力する写真出力工程と、を有する、
という構成を採る。
【発明の効果】
【００１３】
本発明は、以上のように構成することにより、写真を、写っている旅行者に応じて自動的に振り分けることができ、他の旅行者が撮影した写真を容易に共有することができる。その結果、旅行者の利便性の向上を図ることができる、という優れた効果を有する。
【発明を実施するための最良の形態】
【００１４】
本発明は、旅行者が撮影した写真データを、旅行者のパスポートの顔写真に基づいて振り分けて出力するためのシステムである。例えば、複数人で飛行機を利用して海外に旅行する各旅行者の写真を、予め取得したパスポートの顔写真に基づいて、写っている旅行者に応じて振り分けて、プリントや表示部に表示するなど出力する、というものである。
【００１５】
そして、本発明の一形態である写真出力システムは、
旅行者が所有するパスポート内の顔写真データを取得するパスポートデータ取得手段と、
旅行者が撮影した写真データを取得する写真データ取得手段と、
パスポートデータ取得手段にて取得した顔写真データに基づいて、写真データ取得手段にて取得した写真データを各旅行者に振り分ける写真データ振り分け手段と、
写真データ振り分け手段にて振り分けた写真データを各旅行者に対して出力する写真出力手段と、
を備えた、という構成を採る。
【００１６】
上記発明によると、まず、旅行者が所有するパスポート内の顔写真データを取得し、また、旅行者が撮影した写真データを取得する。そして、旅行者が撮影した写真データを、パスポート内の顔写真データに基づいて各旅行者に振り分け、この振り分けた写真データを各旅行者に対して出力する。従って、写真を、写っている旅行者に応じて自動的に振り分けることができ、他の旅行者が撮影した写真を容易に共有することができる。その結果、旅行者の利便性の向上を図ることができる。
【００１７】
また、上記写真データ振り分け手段は、写真データ取得手段にて取得した写真データ内に、パスポートデータ取得手段にて取得した顔写真データ内の顔部分の少なくとも一部の特徴を表す顔特徴情報と一致する部分が存在するか否かに応じて、写真データを振り分ける、という構成を採る。また、上記写真データ振り分け手段は、同一の顔特徴情報を含む写真データを、同一の旅行者の写真として振り分ける、という構成を採る。
【００１８】
これにより、顔写真データ内の顔部分の特徴が一致するか否かに応じて、写真データを振り分ける。具体的には、同一の顔特徴情報を含む写真データを、同一の旅行者の写真として振り分ける。従って、高精度に各旅行者が写っている写真を振り分けることができ、また、容易に他の旅行者と写真を共有することができ、旅行者の利便性の向上を図ることができる。
【００１９】
また、上記パスポートデータ取得手段は、顔写真データと共に、当該顔写真データを含むパスポートを所有する旅行者を特定する旅行者情報を取得し、
上記写真データ取得手段は、写真データと共に、当該写真データを撮影した旅行者を特定する旅行者情報を取得し、
上記写真データ振り分け手段は、写真データ取得手段にて取得した所定の旅行者の写真データに、この旅行者の写真として、当該旅行者の旅行者情報に対応する顔写真データと同一の顔特徴情報を含む他の写真データを加えるよう振り分ける、という構成を採る。
【００２０】
これにより、旅行者自身が撮影した写真データに、さらにこの旅行者自身の顔が含まれた写真データを加えて、当該旅行者の写真として振り分ける。従って、旅行者が撮影した写真に加えて、他の旅行者が撮影した自分が写っている写真を自動的に振り分けることができ、さらに利便性が向上しうる。
【００２１】
また、写真出力システムは、旅行者の旅行内容を表す旅行情報を取得する旅行情報取得手段を備え、上記写真データ振り分け手段は、旅行情報に基づいて写真データを振り分ける、という構成を採る。例えば、上記旅行情報は、旅行行程を表す旅行行程情報を含み、上記写真データ取得手段は、写真データと共に、当該写真データが撮影された場所及び日時を表す撮影付加情報を取得し、上記写真振り分け手段は、旅行行程情報と撮影付加情報とに基づいて写真データを振り分ける、という構成を採る。
【００２２】
これにより、旅行行程などの旅行内容に基づいても、写真データを振り分ける。従って、パスポートの顔写真データに対応する顔が写っていない風景などの写真であっても、旅行した場所や時間に対応して写真を振り分けるため、他の旅行者と共有することができる。
【００２３】
また、写真出力システムは、旅行者の旅行内容を表す旅行情報を取得する旅行情報取得手段を備えると共に、上記写真出力手段は、所定場所に設置された写真出力装置と、当該写真出力装置に対する写真データの出力を制御する写真出力制御手段と、を備え、上記写真出力制御手段は、旅行情報に基づいて選択した写真出力装置から写真データを出力する、という構成を採る。そして、例えば、上記旅行情報は、旅行者が飛行機にて到着する空港を表す到着空港情報を含み、上記写真出力装置を、空港に設け、上記写真出力制御手段は、到着空港情報に基づいて旅行者が到着する空港に設置された写真出力装置から写真データを出力する、という構成を採る。また、上記旅行情報は、旅行者が搭乗する飛行機内にて着座するシートを特定するシート特定情報を含み、飛行機のシートに上記写真出力装置を設け、上記写真出力制御手段は、シート特定情報に基づいて旅行者が着座する飛行機のシートに設置された写真出力装置から写真データを出力する、という構成を採る。
【００２４】
これにより、旅行情報に基づいて、旅行者が所在する場所に設けられた写真出力装置にて、自動的に写真を出力する。従って、旅行者は、自身の行動に応じて旅行時の写真を得ることができ、利便性が向上しうる。また、到着空港や飛行機内のシートにて写真を出力することで、他の旅行者と旅行中に写真の共有が可能となる。
【００２５】
また、本発明の他の形態である写真出力処理装置は、
旅行者が所有するパスポート内の顔写真データを取得するパスポートデータ取得処理手段と、
旅行者が撮影した写真データを取得する写真データ取得処理手段と、
パスポートデータ取得処理手段にて取得した顔写真データに基づいて、写真データ取得処理手段にて取得した写真データを各旅行者に振り分ける写真データ振り分け手段と、
写真データ振り分け手段にて振り分けた写真データを、所定の写真出力装置から各旅行者に対して出力するよう制御する写真出力処理手段と、
を備えた、という構成を採る。
【００２６】
そして、上記写真データ振り分け手段は、写真データ取得処理手段にて取得した写真データ内に、パスポートデータ取得処理手段にて取得した顔写真データ内の顔部分の少なくとも一部の特徴を表す顔特徴情報と一致する部分が存在するか否かに応じて、写真データを振り分ける、という構成を採る。
【００２７】
また、本発明の他の形態であるプログラムは、
コンピュータに、
旅行者が所有するパスポート内の顔写真データを取得するパスポートデータ取得処理手段と、
旅行者が撮影した写真データを取得する写真データ取得処理手段と、
パスポートデータ取得処理手段にて取得した顔写真データに基づいて、写真データ取得処理手段にて取得した写真データを各旅行者に振り分ける写真データ振り分け手段と、
写真データ振り分け手段にて振り分けた写真データを、所定の写真出力装置から各旅行者に対して出力するよう制御する写真出力処理手段と、
を実現させる、という構成を採る。
【００２８】
そして、上記写真データ振り分け手段は、写真データ取得処理手段にて取得した写真データ内に、パスポートデータ取得処理手段にて取得した顔写真データ内の顔部分の少なくとも一部の特徴を表す顔特徴情報と一致する部分が存在するか否かに応じて、写真データを振り分ける、という構成を採る。
【００２９】
さらに、本発明の他の形態である写真出力方法は、
旅行者が所有するパスポート内の顔写真データを取得するパスポートデータ取得工程と、
パスポートデータ取得行程に前後して、旅行者が撮影した写真データを取得する写真データ取得工程と、を有し、
パスポートデータ取得工程にて取得した顔写真データに基づいて、写真データ取得工程にて取得した写真データを各旅行者に振り分ける写真データ振り分け工程と、
写真データ振り分け手段にて振り分けた写真データを各旅行者に対して出力する写真出力工程と、を有する、という構成を採る。
【００３０】
そして、上記写真データ振り分け工程は、写真データ取得工程にて取得した写真データ内に、パスポートデータ取得工程にて取得した顔写真データ内の顔部分の少なくとも一部の特徴を表す顔特徴情報と一致する部分が存在するか否かに応じて、写真データを振り分ける、という構成を採る。このとき、上記写真データ振り分け工程は、同一の顔特徴情報を含む写真データを、同一の旅行者の写真として振り分ける。さらに、上記パスポートデータ取得工程は、顔写真データと共に、当該顔写真データを含むパスポートを所有する旅行者を特定する旅行者情報を取得し、上記写真データ取得工程は、写真データと共に、当該写真データを撮影した旅行者を特定する旅行者情報を取得し、上記写真データ振り分け工程は、写真データ取得工程にて取得した所定の旅行者の写真データに、この旅行者の写真として、当該旅行者の旅行者情報に対応する顔写真データと同一の顔特徴情報を含む他の写真データを加えるよう振り分ける、という構成を採る。
【００３１】
また、写真出力方法は、少なくとも写真データ振り分け工程の前に、旅行者の旅行内容を表す旅行情報を取得する旅行情報取得工程を備え、上記写真データ振り分け工程は、旅行情報に基づいて写真データを振り分ける、という構成を採る。そして、例えば、上記写真データ取得工程は、写真データと共に、当該写真データが撮影された場所及び日時を表す撮影付加情報を取得し、上記写真振り分け工程は、旅行情報に含まれた旅行行程を表す旅行行程情報と撮影付加情報とに基づいて写真データを振り分ける、という構成を採る。
【００３２】
また、写真出力方法は、旅行者の旅行内容を表す旅行情報を取得する旅行情報取得工程を有すると共に、上記写真出力工程は、旅行情報に基づいて所定場所に設置された写真出力装置を選択し、当該写真出力装置から写真データを出力する、という構成を採る。例えば、上記写真出力工程は、旅行情報に含まれる旅行者が到着する空港を表す到着空港情報に基づいて、旅行者が到着する空港に設置された写真出力装置から写真データを出力する、という構成を採る。また、上記写真出力工程は、旅行情報に含まれた旅行者が搭乗する飛行機にて着座するシートを特定するシート特定情報に基づいて、旅行者が着座する飛行機のシートに設置された写真出力装置から前記写真データを出力する、という構成を採る。
【００３３】
上記構成の写真出力処理装置、プログラム、写真出力方法の発明であっても、上述した写真出力システムと同様に作用するため、上述した本発明の目的を達成することができる。以下、本発明の具体的な構成及び動作を、実施形態にて説明する。
【００３４】
＜実施形態１＞
本発明の第１の実施形態を、図１乃至図６を参照して説明する。図１は、写真出力システムの全体構成を示す概略図である。図２は、写真管理装置の構成を示す機能ブロック図である。図３は、パスポートに記憶されているデータの一例を示す図である。図４は、写真データの一例を示す図であり、図５は、振り分けた写真データの一例を示す図である。図６は、写真管理装置の動作を示すフローチャートである。
【００３５】
［構成］
図１に示すように、写真出力システムは、旅行者のパスポート１０内のデータをパスポートリーダを介して取得する旅行者データ取得装置１と、旅行者が撮影した写真データを記録メディア２０から取得する写真データ取得装置２と、を備えている。また、写真出力システムは、ネットワークＮを介して、上記パスポート１０内のデータと写真データとを取得して、当該写真データを振り分ける写真管理装置３と、この写真管理装置３にて振り分けた写真データを出力する写真出力装置４と、を備えている。以下、各装置について詳述する。
【００３６】
（旅行者データ取得装置）
まず、旅行者データ取得装置１について説明する。旅行者データ取得装置１は、例えば、旅行会社や航空会社、空港、が管理するサーバコンピュータである。そして、旅行者データ取得装置１は、パスポートリーダ１１を接続して備えている。パスポートリーダ１１は、パスポート１０に内蔵されたＩＣチップ１０ａから旅行者データ（パスポートデータ）を読み取る機能を有する。
【００３７】
ここで、図３に、パスポート１０に内蔵されたＩＣチップ１０ａに記憶されているデータを示す。この図に示すように、パスポート１０のＩＣチップ１０ａは、当該パスポート１０を所有する旅行者の顔写真データを記憶している。また、ＩＣチップ１０ａは、パスポートごとに固有の旅券番号、所有者の国籍、名前、生年月日などの個人データを記憶している。そして、パスポートリーダ１１は、上記各情報を読み取って、旅行者データ取得装置１に渡す。なお、パスポート１０のＩＣチップ１０ａに記憶されているデータは、上記データに限定されず、パスポートの所有者に関する他の情報が記憶されていてもよい。また、パスポート１０は、必ずしもＩＣチップ１０ａを内蔵している必要はない。例えば、パスポート１０に所有者の顔写真や旅券番号などが印刷されている場合であっても、パスポートリーダ１１が光学式読取り機能を装備することで、上記顔写真等のデータを読み取って取得してもよい。
【００３８】
そして、旅行者データ読取装置１は、読み取った顔写真データ等を、ネットワークＮを介して写真管理装置３に送信する。例えば、旅行会社が管理している場合には、旅行者から海外旅行の申し込み時を受けたときに、当該旅行者のパスポート１０を預かって、旅行者データを取得する。また、航空会社が管理している場合には、旅行者が飛行機にチェックインする際にパスポートを預かって、旅行者データを取得する。また、空港が管理している場合には、旅行者が入国、出国する際に、パスポートを預かって、旅行者データを取得する。さらには、旅行者が自ら空港などに設置されているパスポートリーダ１１に対して入力してもよい。なお、パスポート１０から旅行者の顔写真データ等を取得するタイミングは上述したタイミングに限定されず任意である。
【００３９】
（写真データ取得装置）
次に、写真データ取得装置２について説明する。写真データ取得装置２は、例えば、空港に設置されるコンピュータであって、ネットワークＮを介して写真管理装置３に接続している。そして、写真データ取得装置２は、タッチパネル式のディスプレイ２１と、ディジタルカメラに実装される記録メディア２０を装着可能なメディア端子２２と、を備えている。ここで、記録メディア２０に記憶されている写真データの一例を、図４に示す。図４（ａ）は、旅行者Ａの記録メディア２０に記憶されている写真データを示している。具体的には、符号５１の写真データには旅行者Ａが写っており、符号５２の写真データには旅行者Ａと旅行者Ｂとが写っている。また、符号５３の写真データには風景が写っている。さらに、符号５４の写真データには旅行者Ｂが写っており、符号５５の写真データには旅行者Ａと旅行者Ｂと旅行者Ｃとが写っている。他の旅行者Ｂ，Ｄの写真データも同様に、それぞれ各旅行者や風景が写っている。なお、ここでは、旅行者Ａと旅行者Ｂとは同一グループの旅行者であるが、旅行者Ｄは行動を共にしない他の旅行者であることとする。
【００４０】
そして、写真データ取得装置２は、例えば、各旅行者の記録メディア２０から写真データを取得すると共に、タッチパネル式のディスプレイ２１から入力される旅行者を特定する氏名や旅券番号などの旅行者特定情報の入力を受け付けて、写真データと関連付けて写真管理装置３に送信する。但し、写真データ取得装置２は、予め記録メディア２０内や写真データに記録されている旅行者特定情報を取得して、写真データと共に写真管理装置３に送信してもよい。
【００４１】
（写真管理装置）
次に、写真管理装置３について説明する。写真管理装置３は、写真業者や旅行会社などの業者が管理するサーバコンピュータであり、ネットワークＮに接続している。そして、写真管理装置３の演算装置（図示せず）は、図２に示すように、所定のプログラムが組み込まれることにより、旅行者データ取得処理部３１と、写真データ取得処理部３２と、写真データ振り分け処理部３３と、写真出力処理部３４と、を備えている。また、記憶装置（図示せず）は、旅行者データ記憶部３５と、写真データ記憶部３６と、振り分け写真データ記憶部３７と、を備えている。
【００４２】
上記旅行者データ取得処理部３１（パスポートデータ取得処理手段）は、上述した旅行者データ取得装置１から送信された顔写真データを含む旅行者データを受け付けて、旅行者データ記憶部３５に記憶する。つまり、旅行者データ取得処理部３１は、上記旅行者データ取得装置１やパスポートリーダ１１と協働して、パスポート１０から旅行者の顔写真データを含む旅行者データを取得するパスポートデータ取得手段として機能する。
【００４３】
また、写真データ取得処理部３２（写真データ取得処理手段）は、上述した写真データ取得装置２から送信された各旅行者の写真データと旅行者特定情報とを受け付けて、写真データ記憶部３６に、各旅行者毎に写真データを記憶する。つまり、写真データ取得処理部３２は、上記写真データ取得装置２と協働して、旅行者が撮影した写真データを取得する写真データ取得手段として機能する。
【００４４】
また、写真データ振り分け処理部３３（写真データ振り分け手段）は、旅行者データ記憶部３５に記憶されているパスポート１０の顔写真データに基づいて、写真データ記憶部３６に記憶されている各写真データを振り分ける機能を有する。具体的には、まず、所定の旅行者の写真データを、写真データ記憶部３６から読み出す。ここでは、図４（ａ）に示す旅行者Ａの写真データ５を読み出すこととする。続いて、旅行者Ａの写真データ５に関連付けられている氏名や旅券番号などの旅行者特定情報（旅行者情報）と一致する旅行者データ（旅行者情報）を含む旅行者Ａの顔写真データを、旅行者データ記憶部３５から読み出す。続いて、旅行者Ａの顔写真データから当該顔写真データの特徴を表す顔特徴情報を算出する。例えば、顔の一部である目の形状の特徴を表す情報や、口の形状の特徴を表す情報、さらには、目口鼻といった各パーツの配置の特徴を表す情報を算出して、顔特徴情報とする。その後、算出した顔特徴情報を含む他の旅行者の写真データが存在するか否か、写真データ記憶部３６内を検索する。このとき、各写真データ内から色情報などを用いて人間の顔部分を検出する顔検出処理技術を利用して、まず顔部分を特定し、その部分に対して、顔特徴情報に基づく顔のマッチングを行う。これにより、旅行者Ａが映し出されている他の旅行者の写真データを抽出する。
【００４５】
ここで、旅行者Ａの写真として振り分けた後の写真データを、図５に示す。この図の例では、写真データ取得処理部３２にて予め旅行者Ａの写真として取得した写真５１〜５５に、他の旅行者Ｂ，Ｄの写真データの内、旅行者Ａが写っている写真６３，６４，７３が追加されて、旅行者Ａに振り分けられた写真５０となることを示している。このとき、上述したように、旅行者Ｄは旅行者Ａとは同行していない旅行者であるが、このようにたまたま旅行者Ａが写っていた写真も、当該旅行者Ａに振り分けられる。なお、他の旅行者Ｂ，Ｄから旅行者Ａに振り分けられた写真データ６３，６４，７３は、データそのものが移動するわけではなく、データが複製されて移動される。従って、元の旅行者Ｂ，Ｄが撮影した写真データとしては残る。以上のように、写真データ振り分け処理部３３は、各旅行者の写真データを、パスポート１０に記憶された顔写真データに基づいて、写っている人の顔に応じて、各旅行者に振り分けて、振り分け写真データ記憶部３７に記憶する。
【００４６】
また、写真出力処理部３４（写真出力処理手段、写真出力制御手段）は、上述したように各旅行者毎に振り分けた写真データを、各旅行者毎に写真出力装置４に出力する。つまり、写真出力処理部３４と写真出力装置４とは、協働して写真出力手段として機能する。例えば、図５に示すように、旅行者Ａに対して振り分けられた写真データを、写真出力装置４から旅行者Ａに対して出力する。なお、写真出力装置４については後述する。
【００４７】
（写真出力装置）
次に、写真出力装置４について説明する。写真出力装置４は、例えば、空港に設置されるコンピュータであって、ネットワークＮを介して写真管理装置３に接続している。そして、写真出力装置４は、タッチパネル式のディスプレイ４１と、写真データをプリントするプリンタ４２と、を備えている。また、写真出力装置４は、タッチパネル式のディスプレイ４１から入力された氏名や旅券番号などの旅行者情報から旅行者を特定し、特定した旅行者に振り分けられた写真データをプリントする機能を有する。なお、写真出力装置４は、事前にプリントしておいた写真を、旅行者が取得可能なよう排出する構成であってもよい。また、写真出力装置４は、写真データをディスプレイ４１に表示し、旅行者によって選択された写真をプリントする構成であってもよい。
【００４８】
［動作］
次に、上記構成の写真出力システムの動作を、図６のフローチャートを参照して説明する。まず、旅行会社や旅行者自身などが、旅行者が所有するパスポートをパスポートリーダ１１に読み取らせる。すると、旅行者データ取得装置１がパスポート１０に装備されたＩＣチップ１０ａから顔写真データや氏名などの旅行者データを取得し、写真管理装置３に送信する。これにより、写真管理装置３は、旅行者の顔写真データを取得して、旅行者データ記憶部３５に蓄積する（ステップＳ１、パスポートデータ取得工程）。
【００４９】
その後、旅行者が、ディジタルカメラで撮影した写真データを、旅行先などの空港に設置された写真データ取得装置２に、帰国時に読み取らせる。すると、写真データ取得装置２は、取得した写真データと旅行者特定情報とを、写真管理装置３に送信する。これにより、写真管理装置３は、旅行者毎の写真データを取得して写真データ記憶部３６に蓄積する（ステップＳ２、写真データ取得工程）。なお、上記パスポートデータ取得工程は、写真データ取得工程の後に実行されてもよい。
【００５０】
その後、写真管理装置３は、写真データ記憶部３６に蓄積されている写真データを、旅行者データ記憶部３５に記憶されているパスポート１０内の顔写真データに基づいて、各旅行者の写真として振り分ける（写真データ振り分け工程）。具体的には、パスポート１０内の顔写真データの顔特徴情報を算出して、この特徴情報と、各写真データ内の顔部分の特徴情報とをマッチングして、同一の顔が映し出されている写真データを抽出する（ステップＳ３）。そして、各旅行者の写真データに、当該旅行者の顔が含まれている写真データを追加して、旅行者毎に写真データを振り分ける（ステップＳ４）。
【００５１】
その後、後述するように、旅行者が到着する空港や飛行機内に設けられている写真出力装置４に対して、旅行者毎に振り分けられた写真をプリントする（ステップＳ５、写真出力工程）。例えば、上記振り分け処理とプリント処理とは、旅行者が飛行機で移動中に行うと望ましい。
【００５２】
以上により、本実施形態にかかる発明によると、写真を、写っている旅行者に応じて自動的に振り分けることができ、他の旅行者が撮影した写真を容易に共有することができる。その結果、旅行者の利便性の向上を図ることができる。
【００５３】
＜実施形態２＞
次に、本発明の第２の実施形態を、図７乃至図１３を参照して説明する。本実施形態では、上述した実施形態１で説明した写真出力システムの具体例を示している。図７は、写真出力システムの全体構成を示す概略図である。図８は、旅行者のツアー情報の一例を示す図である。図９は、写真データの一例を示す図である。図１０は、振り分けた写真データの一例を示す図である。図１１乃至図１２は、写真出力システム全体の動作を示す説明図であり、図１３は、全体の動作を示すシーケンス図である。
【００５４】
［構成］
本実施形態における写真出力システムは、上述した実施形態１とほぼ同様の構成を採っているため、以下では、異なる部分について説明する。
【００５５】
まず、旅行者データ取得装置１は、Ａ国の旅行会社内に設置されたコンピュータである。そして、旅行会社の従業員が操作することで、旅行会社に海外旅行を申し込んだ旅行者のパスポート１０から当該旅行者の顔写真データを含む旅行者データを取得し、写真管理装置３に送信する。また、旅行者データ取得装置１は、旅行会社の従業者から入力された旅行者の旅行内容を表すツアー情報（旅行情報）を、上述した顔写真データや旅行者の氏名や旅券番号などを含む旅行者データと関連付けて、写真管理装置３に送信する。そして、写真管理装置３の旅行者データ取得処理部３１は、各旅行者の旅行者データとツアー情報とを取得して、旅行者データ記憶部３５に記憶する。つまり、写真管理装置３の旅行者データ取得処理部３１と旅行者データ取得装置１は、協働して、旅行者の旅行者内容を表す旅行情報を取得する旅行情報取得手段として機能する。
【００５６】
ここで、ツアー情報の一例を図８に示す。この図に示すように、ツアー情報は、旅行者データとして、旅行者の氏名、旅券番号、往路・復路の搭乗飛行機、往路・復路の出発地／到着地、往路・復路の飛行機のシート番号、などの情報を含む。また、同行して旅行する他の旅行者である同行者データとして、同行者の氏名などの情報を含む。さらに、旅行行程を表す情報であるツアー工程データ（旅行行程情報）を含む。このツアー工程データは、ツアーにて旅行者が移動する日時と場所を特定する情報を含む。なお、上記ツアー情報は、上記旅行者データ取得装置１から必ずしも顔写真データといった旅行者データと関連付けた状態で送信されることに限定されない。例えば、ツアー情報とパスポート内の顔写真データとを別々の端末から写真管理装置３に送信し、当該写真管理装置３にて、ツアー情報と顔写真データとにそれぞれ関連付けられている旅行者の氏名や旅券番号に基づいて、同一の旅行者のデータを関連付けてもよい。
【００５７】
また、本実施形態では、写真出力装置４がＡ国のＡ空港に設置されている。このＡ空港は、例えば、後述する旅行者Ａが帰国時に到着する空港である。さらに、本実施形態では、写真データ取得装置２がＢ国のＢ空港に設置されている。このＢ国は、例えば、後述する旅行者Ａの旅行先であり、Ｂ空港は、旅行者Ａが帰国するときに出発する空港である。なお、写真出力装置４や写真データ取得装置２は、上述した国に設置されていることに限定されず、あらゆる国の空港などの場所に設置されていてもよい。
【００５８】
そして、本実施形態ではさらに、写真データ取得装置２が、取得する写真データと共に、当該写真データが撮影された場所及び日時を表す撮影付加情報を取得する。この撮影付加情報は、例えば、図９に示すように、ディジタルカメラにて付加された撮影時の日時情報と、ディジタルカメラに搭載されたＧＰＳ機能にて計測されて付加された撮影場所を表す緯度経度の情報である。そして、写真管理装置３の写真データ取得処理部３２は、上記撮影付加情報が付加された各写真データを取得して、写真データ記憶部３６に記憶する。なお、上記撮影場所を特定する情報は、ディジタルカメラに搭載されたＧＰＳ機能にて付加されることに限定されず、利用者がディジタルカメラに直接入力するなど、他の方法にて写真データに付加してもよい。
【００５９】
また、本実施形態における写真管理装置３の写真データ振り分け処理部３３は、上述したように、パスポート１０内の顔写真データに基づいて、旅行者毎に写真データを振り分けることに加え、上記ツアー情報に基づいて各旅行者に写真データを振り分ける機能も有する。例えば、ある旅行者のツアー情報内のツアー工程データを読み出して、このツアー工程内の日時及び場所が、一致あるいは所定の範囲内にある写真データを抽出する。このとき、写真データに関連付けられている撮影日時及び撮影場所情報とマッチングを行う。そして、ツアー工程と撮影日時等がほぼ一致した写真データを、そのツアーに参加した旅行者の写真として振り分ける。なお、ツアー工程と撮影日時及び場所が一致するか否かの判断は、例えば、ツアー工程内の時間及び場所と、写真データの撮影日時及び場所とが、予め設定された時間幅及び距離の範囲内である場合に、一致したとして判断する。
【００６０】
ここで、図１０に、旅行者Ａに写真を振り分けたときの一例を示す。ここでは、上記実施形態１で説明したように、まず、旅行者Ａのもとの写真データ５１〜５５に加え、当該旅行者Ａが写っている他の旅行者の写真データ６３，６４，７３を振り分ける。そして、さらに、これに加え、同一のツアー工程中に他の旅行者Ｂ，Ｃにて撮影された風景写真６５，７２も、旅行者Ａの写真として振り分ける。
【００６１】
また、本実施形態における写真出力処理部３４は、上記ツアー情報に基づいてあらゆる場所に設置された写真出力装置４を選択し、当該選択した写真出力装置４から旅行者毎に振り分けた写真を出力する。例えば、旅行者Ａの旅行行程に含まれる到着空港情報にて特定される空港に設置されている写真出力装置４を選択して、この写真出力装置４から旅行者Ａに振り分けられた写真データを出力するよう制御する。
【００６２】
［動作］
次に、上記構成の写真出力システムの動作を、図１１及び図１２の動作説明図、及び、図１３のシーケンス図を参照して説明する。なお、ここでは、旅行者ＡがＡ国からＢ国に海外旅行し、Ｂ国のＢ空港からＡ国のＡ空港に帰国する旅行行程になっていることとする。
【００６３】
まず、旅行会社が、旅行の申し込みを受け付けた旅行者Ａが所有するパスポートをパスポートリーダ１１に読み取らせる（図１１の矢印（１））。すると、旅行者データ取得装置１がパスポート１０に装備されたＩＣチップ１０ａから顔写真データや氏名などの旅行者データを取得する（図１１の矢印（２））。また、旅行会社が、旅行者Ａの旅行工程を含むツアー情報を旅行者データ取得装置１に入力する。そして、旅行者データ取得装置１は、旅行者の顔写真データを含む旅行者データと当該旅行者のツアー情報とを関連付けて、写真管理装置３に送信する（図１１の矢印（３）、図１３のステップＳ１１）。すると、これを受けた写真管理装置３は、旅行者Ａの旅行者データとツアー情報とを記憶する（図１３のステップＳ１２、パスポートデータ取得工程、旅行情報取得工程）。
【００６４】
その後、旅行者Ａは、Ａ国からＢ国に飛行機などで移動して旅行する（図１１の矢印（４））。そして、旅行者Ａは、Ｂ国内で写真を取り、この写真データを帰国時にプリントすることを依頼する。このとき、旅行者Ａは、帰路の出発地となるＢ国のＢ空港に設置された写真データ取得装置２に、写真データが記憶された記録メディア２０を挿入する（図１１の矢印（５））。すると、写真データ取得装置２は、記録メディア２０から写真データとその旅行者を特定する旅行者特定情報とを読取り、当該写真データと旅行者特定情報とを写真管理装置３に送信する（図１１の矢印（６）、図１３のステップＳ１３）。なお、写真データには、当該写真データを撮影した日時及び場所を表す情報が、関連付けられて記憶されている。そして、写真管理装置３は、旅行者毎の写真データを取得して写真データ記憶部３６に蓄積する（図１３のステップＳ１４、写真データ取得工程）。
【００６５】
その後、旅行者Ａは、飛行機に乗って、Ｂ国のＢ空港からＡ国のＡ空港に移動する（図１２の矢印（７））。この間、写真管理装置３は、写真データ記憶部３６に蓄積されている写真データを、旅行者データ記憶部３５に記憶されているパスポート１０内の顔写真データに基づいて、各旅行者の写真として振り分ける（写真データ振り分け工程）。具体的には、旅行者Ａのパスポート１０内の顔写真データの顔特徴情報を算出して、この特徴情報と、各写真データ内の顔部分の特徴情報とをマッチングして、同一の顔が映し出されている写真データを抽出する。そして、旅行者Ａの写真データに、当該旅行者Ａの顔が含まれている他の写真データを追加して、旅行者Ａの写真データとして振り分ける。さらには、旅行者Ａのツアー情報と、他の旅行者の写真データに関連付けられた撮影日時及び撮影場所情報を参照して、旅行者Ａとほぼ同一の時刻でほぼ同一の場所を撮影した写真データを抽出して、旅行者Ａの写真データとして振り分ける（図１３のステップＳ１５）。
【００６６】
また、旅行者Ａが移動中に、写真管理装置３は、旅行者Ａのツアー情報を参照して、当該旅行者Ａの到着地であるＡ国のＡ空港に設置された写真出力装置４を選択する（図１３のステップＳ１６）。そして、写真管理装置３は、この選択したＡ空港に設置された写真出力装置４に対して、旅行者Ａに振り分けた写真データをプリントするよう、当該写真データを送信してプリント指令を送信する（図１２の矢印（８）、図１３のステップＳ１７）。これを受けたＡ空港に設置された写真出力装置４は、旅行者ＡがＡ空港に到着する前に、当該旅行者Ａに振り分けられた写真をプリントする。そして、旅行者ＡがＡ空港に到着し、写真出力装置４に対して氏名や旅券番号など旅行者Ａを特定する情報を入力すると、写真出力装置４は、旅行者Ａに振り分けられた写真データをプリントしたものを当該旅行者Ａが取得できるよう出力する（図１２の矢印（９）、写真出力工程）。これにより、旅行者Ａは振り分けられたプリント写真を得ることができる。
【００６７】
以上により、本実施形態にかかる発明によると、写真を、写っている旅行者や旅行者が訪れた場所に応じて自動的に振り分けることができ、他の旅行者が撮影した写真を容易に共有することができる。その結果、旅行者の利便性の向上を図ることができる。
【００６８】
ここで、上述したパスポートデータやツアー情報は、必ずしも旅行会社から入力される情報であることに限定されない。例えば、旅行者自らが所定の端末から入力してもよく、あるいは、航空会社や空港運営会社から入力されてもよい。このとき、ツアー情報は、図８に示すような情報に限定されず、例えば、飛行機の搭乗券に記憶された、旅行者を特定する情報と到着空港を特定する情報であってもよい。そして、写真管理装置３は、搭乗券に記憶された旅行者の到着空港情報に基づいて、到着空港に設置された写真出力装置４から旅行者の写真データを出力する。
【００６９】
＜実施形態３＞
次に、本発明の第３の実施形態を、図１４乃至図１５を参照して説明する。図１４は、本実施形態における写真出力装置の構成を示す図であり、図１５は、写真出力装置の動作を示す図である。
【００７０】
本実施形態では、上述した写真出力装置を飛行機内に装備している。具体的に、写真出力装置は、各旅行者が搭乗して着座する飛行機の各シートごとに設置されている。例えば、図１４に示す例では、旅行者Ａに対する写真出力装置１１０，１１１，１１２は、当該旅行者Ａが着座するシート１０１の前方のシート１０２の背面側に装備されている。なお、この例では、写真出力装置は、写真データを表示するタッチパネル式のディスプレイ１１１と、写真データをプリントするプリンタ１１２と、ディスプレイ１１１及びプリンタ１１２に対する写真データの出力状態を制御する制御装置１１０と、を備えている。
【００７１】
そして、上記制御装置１１０は、上記実施形態で説明したように、写真管理装置３から旅行者Ａに対して振り分けられた写真データを受信し、図１５に示すように、写真データをディスプレイ１１１に表示する。また、タッチパネル式のディスプレイから旅行者Ａによる写真データの選択を受け付け、当該選択された写真データのプリントをプリンタ１１１に指令する。これにより、図１５に示すように、写真データがプリント写真Ｐとして出力され、旅行者Ａは取得することができる。
【００７２】
そして、本実施形態における写真管理装置３は、上記シートに設置された写真出力装置に応じて、まず、上述したように、ツアー情報や搭乗券、あるいは、旅行者Ａ自身から入力されたシート番号（シート特定情報）などから、当該旅行者Ａが搭乗する飛行機のシートを特定する。そして、特定したシートに設置された写真出力装置に対して、旅行者Ａに対して振り分けた写真データを出力するようデータを送信し、指令する。
【００７３】
これにより、旅行者は、旅行行程中の飛行機内で、自身に関連する写真を得ることができ、他の旅行者と旅行中に写真の共有が可能となる。
【産業上の利用可能性】
【００７４】
本発明は、写真印刷業者や旅行会社、航空会社などが、旅行者に対して写真出力サービスを提供する際に利用する写真出力システムとして利用することができ、産業上の利用可能性を有する。
【図面の簡単な説明】
【００７５】
【図１】実施形態１における写真出力システムの全体構成を示す概略図である。
【図２】写真管理装置の構成を示す機能ブロック図である。
【図３】パスポートに記憶されているデータの一例を示す図である。
【図４】旅行者が撮影した写真データの一例を示す図である。
【図５】旅行者ごとに振り分けた写真データの一例を示す図である。
【図６】写真管理装置の動作を示すフローチャートである。
【図７】実施形態２における写真出力システムの全体構成を示す概略図である。
【図８】旅行者のツアー情報の一例を示す図である。
【図９】旅行者が撮影した写真データの一例を示す図である。
【図１０】旅行者ごとに振り分けた写真データの一例を示す図である。
【図１１】写真出力システム全体の動作を示す説明図である。
【図１２】写真出力システム全体の動作を示す説明図であり、図１１の続きを示す。
【図１３】写真出力システム全体の動作を示すシーケンス図である。
【図１４】実施形態３における旅行者が搭乗する飛行機のシートの構成を示す図であり、当該シートに装備された写真出力装置の構成を示す図である。
【図１５】シートに装備された写真出力装置の動作を示す図である。
【符号の説明】
【００７６】
１  旅行者データ取得装置
２  写真データ取得装置
３  写真管理装置
４  写真出力装置
１０  パスポート
１０ａ  ＩＣチップ
１１  パスポートリーダ
３１  旅行者データ取得処理部
３２  写真データ取得処理部
３３  写真データ振り分け処理部
３４  写真出力処理部
３５  旅行者データ記憶部
３６  写真データ記憶部
３７  振り分け写真データ記憶部
【図１】
0005045413.tif 000002
【図２】
0005045413.tif 000003
【図３】
0005045413.tif 000004
【図４】
0005045413.tif 000005
【図５】
0005045413.tif 000006
【図６】
0005045413.tif 000007
【図７】
0005045413.tif 000008
【図８】
0005045413.tif 000009
【図９】
0005045413.tif 000010
【図１０】
0005045413.tif 000011
【図１１】
0005045413.tif 000012
【図１２】
0005045413.tif 000013
【図１３】
0005045413.tif 000014
【図１４】
0005045413.tif 000015
【図１５】
0005045413.tif 000016